(57)【要約】      （修正有）【課題】使用しやすく、清掃しやすく、操作しやすい噴霧ファンを提供する。【解決手段】噴霧アセンブリ１は、水タンクを含み、前記水タンクの側面にはキャビティが設けられ、前記キャビティ内には霧化フィンが設けられ、前記霧化フィンは霧化フィン固定板によって固定され、前記水タンクの前記霧化フィンに近い側には水タンクのフロントカバーが設けられ、前記水タンクのフロントカバーにはボタン制御基板及びミスト放出口が設けられ、前記水タンクの頂部には水タンクの上部カバーが設けられ、前記水タンクの内部には制御回路基板が設けられ、ファンアセンブリ４は、ファンリアカバーと、排気窓と、羽根とを含み、前記ファンリアカバーと前記排気窓とは取り外し可能に接続され、前記ファンアセンブリの外部には、リアカバー２とフロントカバー３とが設けられ、頂部には、突起が設けられ、底部には底部カバー５が取り付けられる。【選択図】図１
0003232491.tif 000002
【実用新案登録請求の範囲】
【請求項１】
噴霧ファンであって、噴霧アセンブリ（１）と、前記噴霧アセンブリ（１）の底部に設けられたファンアセンブリ（４）と、を含み、前記噴霧アセンブリ（４）は、水タンク（１０１）を含み、前記水タンク（１０１）の側面にはキャビティが設けられ、前記キャビティは前記水タンク（１０１）と連通し、前記キャビティ内には霧化フィン（１０２）が設けられ、前記霧化フィン（１０２）は霧化フィン固定板（１１０）によって固定され、前記水タンク（１０１）の前記霧化フィン（１０２）に近い側には水タンクのフロントカバー（１０５）が設けられ、前記水タンクのフロントカバー（１０５）にはボタン制御基板（１０６）及びミスト放出口が設けられ、前記水タンク（１０１）の頂部には水タンクの上部カバー（１０８）が設けられ、前記水タンク（１０１）の底部には階段状凹溝１が設けられ、前記水タンク（１０１）の内部には制御回路基板（１０４）が設けられ、
前記ファンアセンブリ（４）は、ファンリアカバー（４０１）と、排気窓（４０２）と、羽根（４０４）とを含み、前記ファンリアカバー（４０１）と前記排気窓（４０２）とは取り外し可能に接続され、前記羽根（４０４）はモータ（４０３）によって制御され、前記ファンアセンブリ（４）の外部には、リアカバー（２）とフロントカバー（３）とが設けられ、前記リアカバー（２）と前記フロントカバー（３）の頂部には、前記階段状凹溝１と嵌合して使用される突起１が設けられ、前記リアカバー（２）と前記フロントカバー（３）の底部には、階段状凹溝２が設けられ、前記リアカバー（２）と前記フロントカバー（３）の底部には底部カバー（５）が取り付けられ、前記底部カバー（５）の頂部には、前記階段状凹溝２と嵌合して使用される突起２が設けられること、
を特徴とする噴霧ファン。
【請求項２】
前記水タンク（１０１）の底部には、水位検知シート（１０３）が取り付けられることを特徴とする請求項１に記載の噴霧ファン。
【請求項３】
前記霧化フィン（１０２）の噴霧方向は、水平方向であることを特徴とする請求項１に記載の噴霧ファン。
【請求項４】
前記水タンクの上部カバー（１０８）の底部にパッキン（１０７）が設けられ、前記水タンクの上部カバー（１０８）の頂部に通気孔が設けられることを特徴とする請求項１に記載の噴霧ファン。
【請求項５】
前記水タンク（１０１）の両側にハンドル（１０９）が取り付けられることを特徴とする請求項１に記載の噴霧ファン。
【請求項６】
前記排気窓（４０２）の中央に、コットンシート（４０６）を内装するコットンシートカバー（４０５）が設けられることを特徴とする請求項１に記載の噴霧ファン。
【請求項７】
前記底部カバー（５）の四隅には、回転軸によって底部カバー脚（５０１）が可動的に接続され、前記底部カバー脚（５０１）の底部には、滑り止めパッド（５０２）が設けられることを特徴とする請求項１に記載の噴霧ファン。
【請求項８】
前記霧化フィン（１０２）及び前記モータ（４０３）は、いずれも前記制御回路基板（１０４）に電気的に接続されることを特徴とする請求項１に記載の噴霧ファン。
【考案の詳細な説明】
【技術分野】
【０００１】
本考案は、家庭用電気機器の技術分野に関し、特に、噴霧ファンに関する。
【背景技術】
【０００２】
科学技術の発達と社会的進歩に伴い、多機能電気製品がますます人気が高まっており、その１つとして噴霧ファンがある。従来の扇風機は、モータにより回転し、羽根を動かして気流を発生させ、換気と冷却の効果を達成している。しかし、その機能は単一であり、送風機能だけでは長時間の使用により室内空気が乾燥してしまい、人体の健康に悪影響を及ぼす。そこで、空気を吹きつけながら噴霧加湿器を用いて空気を加湿し、水蒸気の蒸発により熱を奪って降温に寄与する一方、空気中の水分を速やかに補給することができる噴霧ファンが種々設計されている。しかし、これらの設計では、１．加湿噴霧機能とファンとを使い分けることができないこと、２．水タンクの給水口が小さいため、水タンクへの給水が困難になり、水タンクの洗浄が十分に行えず、長期の使用により細菌が蓄積して健康に悪影響を与えやすいこと、３．水タンクは製品の底に設けられており、給水の際には水タンクを外し、水を入れて戻す必要があり、操作が煩雑であること、４．吸水性コットンスライバーに吸水させて霧化フィンに水を導入し、長期間使用すると、吸水性コットンがカビを発生したり、細菌が蓄積したりして、人の健康に悪影響を及ぼすこと、５．ファンの吹出窓とファン本体とが強固に固定された構造となり、取り外しができず、ファンの清掃や吹出窓に蓄積された塵埃の清掃が困難であったこと、という欠点がある。
【考案の概要】
【考案が解決しようとする課題】
【０００３】
従来技術における上記の欠点に対して、本考案は、構造が簡単で、清掃しやすく、操作しやすく、普及が容易な噴霧ファンを提供する。
【課題を解決するための手段】
【０００４】
噴霧ファンであって、噴霧アセンブリと、前記噴霧アセンブリの底部に設けられたファンアセンブリと、を含み、前記噴霧アセンブリは、水タンクを含み、前記水タンクの側面にはキャビティが設けられ、前記キャビティは前記水タンクと連通し、前記キャビティ内には霧化フィンが設けられ、前記霧化フィンは霧化フィン固定板によって固定され、前記水タンクの前記霧化フィンに近い側には水タンクのフロントカバーが設けられ、前記水タンクのフロントカバーにはボタン制御基板及びミスト放出口が設けられ、前記水タンクの頂部には水タンクの上部カバーが設けられ、前記水タンクの底部には階段状凹溝１が設けられ、前記水タンクの内部には制御回路基板が設けられ、
前記ファンアセンブリは、ファンリアカバーと、排気窓と、羽根とを含み、前記ファンリアカバーと前記排気窓とは取り外し可能に接続され、前記羽根はモータによって制御され、前記ファンアセンブリの外部には、リアカバーとフロントカバーとが設けられ、前記リアカバーと前記フロントカバーの頂部には、前記階段状凹溝１と嵌合して使用される突起１が設けられ、前記リアカバーと前記フロントカバーの底部には、階段状凹溝２が設けられ、前記リアカバーと前記フロントカバーの底部には底部カバーが取り付けられ、前記底部カバーの頂部には、前記階段状凹溝２と嵌合して使用される突起２が設けられる。
【０００５】
好ましくは、前記水タンクの底部には、水位検知シートが取り付けられる。
【０００６】
好ましくは、前記霧化フィンの噴霧方向は、水平方向である。
【０００７】
好ましくは、前記水タンクの上部カバーの底部にパッキンが設けられ、前記水タンクの上部カバーの頂部に通気孔が設けられる。
【０００８】
好ましくは、前記水タンクの両側にハンドルが取り付けられる。
【０００９】
好ましくは、前記排気窓の中央に、コットンシートを内装するコットンシートカバーが設けられる。
【００１０】
好ましくは、前記底部カバーの四隅には、回転軸によって底部カバー脚が可動的に接続され、前記底部カバー脚の底部には、滑り止めパッドが設けられる。
【００１１】
好ましくは、前記霧化フィン及び前記モータは、いずれも前記制御回路基板に電気的に接続される。
【考案の効果】
【００１２】
本考案の有益な効果は、
１）噴霧アセンブリとファンアセンブリは別々に制御され、ユーザは必要に応じて使用できること、
２）水タンクを製品の上部に設置し、給水には水タンクを取り出す必要がなく、操作しやすいこと、
３）水タンクの頂部に水タンクの上部カバーを設け、給水口が大きく、給水しやすく、洗浄が容易であること、
４）水タンク内の水は、霧化フィンと直接連通しており、吸水性コットンスライバーに吸水させて霧化フィンに水を導入する必要がなく、長期間使用しても、吸水性コットンスライバーがカビを発生させないこと、
５）ファンアセンブリの排気窓とファンリアカバーとを取り外し可能に接続して、ファンアセンブリの内部の掃除を容易にすることである。
【図面の簡単な説明】
【００１３】
本考案の実施例の技術的解決手段をより明確に説明するために、以下、実施例に必要な図面を簡単に紹介するが、以下の図面は本考案の実施例の一部のみを示すものであり、範囲を限定するものとみなされるべきではなく、当業者であれば、創造的な労力を課すことなく、これらの図面に基づいて他の関連図面を取得することができることを理解すべきである。
【図１】本考案の全体構造の概略図である。
【図２】本考案の噴霧アセンブリの構造の概略図である。
【図３】本考案のファンアセンブリの構造の概略図である。
【図４】本考案の底部カバーアセンブリの構造の概略図である。
【考案を実施するための形態】
【００１４】
本考案の目的、技術的解決手段及び利点をより容易に明確に理解するために、以下、本考案の実施例における図面を参照して、本考案の実施例における技術的解決手段を明確に且つ完全に説明するが、明らかに、説明された実施例は、本考案の一部の実施例にすぎず、全ての実施例ではない。本明細書の図面に概略的に説明され、示されている本考案の実施例のアセンブリは、通常、様々な異なる構成で配置され、設計され得る。
【００１５】
本考案の説明において、「中心」、「上」、「下」、「左」、「右」、「垂直」、「水平」、「内側」、「外側」などの用語によって示される位置又は位置関係は、添付図面に示される位置又は位置関係に基づいていることが示されるが、言及される装置又は要素が特定の位置を有することと、特定の位置で構成及び動作することを示し、又は暗示することではなく、単に本考案の説明を容易かつ簡単にすることを意図しており、本考案に対する限定として解釈されるべきではない。
【００１６】
（実施例１）
図面に示すように、噴霧ファンであって、噴霧アセンブリ１と、噴霧アセンブリ１の底部に設けられたファンアセンブリ４と、を含み、噴霧アセンブリ１は、水タンク１０１を含み、水タンク１０１の側面にはキャビティが設けられ、キャビティは水タンク１０１と連通し、キャビティ内には霧化フィン１０２が設けられ、霧化フィン１０２は水タンク１０１内の水と直接接触し、霧化フィン１０２は霧化フィン固定板１１０によって固定され、前記霧化フィン１０２の噴霧方向は水平方向であり、これによりファンアセンブリと噴霧アセンブリは、単独で使用され、噴霧によってファンが湿ることがなく、水タンク１０１の底部には、水位検知シート１０３が取り付けられ、水タンク１０１の霧化フィン１０２に近い側には水タンクのフロントカバー１０５が設けられ、水タンクのフロントカバー１０５にはボタン制御基板１０６及びミスト放出口が設けられ、水タンク１０１の頂部には水タンクの上部カバー１０８が設けられ、水タンクの上部カバー１０８の底部にはパッキン１０７が設けられ、水タンクの上部カバー１０８の頂部に通気孔が設けられ、水タンク１０１の底部には階段状凹溝１が設けられ、水タンク１０１の内部には制御回路が設けられ、制御回路は、制御回路基板１０４と電源回路基板１１１とを含み、霧化フィン１０２は、制御回路基板１０４に電気的に接続され、ボタン制御基板１０６は、噴霧アセンブリ１及びファンアセンブリ４の動作を制御するためのスイッチに用いられ、水タンク１０１の両側にはハンドル１０９が取り付けられ、
ファンアセンブリ４は、ファンリアカバー４０１と、排気窓４０２と、羽根４０４とを含み、ファンリアカバー４０１と排気窓４０２とは取り外し可能に接続され、排気窓４０２の中央に、コットンシート４０６を内装するコットンシートカバー４０５が設けられ、コットンシート４０６に香水又は蚊取液を滴下することができ、羽根４０４はモータ４０３によって制御され、モータ４０３は制御回路基板１０４に電気的に接続され、ファンアセンブリ４の外部には、リアカバー２とフロントカバー３とが設けられ、リアカバー２とフロントカバー３の頂部には、階段状凹溝１と嵌合して使用される突起１が設けられ、リアカバー２とフロントカバー３の底部には、階段状凹溝２が設けられ、リアカバー２とフロントカバー３の底部には底部カバー５が取り付けられ、底部カバー５の頂部には、階段状凹溝２と嵌合して使用される突起２が設けられ、底部カバー５の四隅には、回転軸によって底部カバー脚５０１が可動的に接続され、前記底部カバー脚５０１の底部には、滑り止めパッド５０２が設けられ、底部カバー脚５０１が回転して底部面積を大きくすることができ、ファンをより安定にする。
【００１７】
（実施例２）
水タンク１０１の上部カバー１０８と水タンク１０１との間に隙間を有して接続され、パッキン１０７及び通気孔を使用する必要がなく、その他の構成は実施例１と同じであり、動作原理及び使用効果は実施例１と同じである。
【００１８】
（実施例３）
底部カバー５とリアカバー２又はフロントカバー３の底部を一体に成型し、又はリアカバー２とフロントカバー３の底部をシールする設計を行うことができ、即ち、リアカバー２とフロントカバー３が嵌合固定される時に底部カバー５を使用することなく、同様の底部シール効果を達成することができ、その動作原理と使用効果は実施例１と同じである。
【００１９】
（実施例４）
制御回路１０４における電源回路基板は、リアカバー２又はファンリアカバー４０１に設けられてもよく、これにより、電源を投入する効果を達成することができ、その動作原理及び使用効果は、実施例１と同じである。
【００２０】
（実施例５）
水タンクのフロントカバー１０５とフロントカバー３が一体成型に設けられ、即ち、水タンクのフロントカバー１０５とフロントカバー３が２つの部品で１つの部品に組み合わされ、一体になっていることができ、その他の構成は実施例１と同じであり、動作原理及び使用効果は実施例１と同じである。
【００２１】
その動作原理は、以下のとおりである。
【００２２】
水タンク１０１内の水と霧化フィン１０２が接触し、スイッチをオンにして霧化機能をオンにすると、霧化フィン１０２が高周波振動して水をミストにして吐出し、ファンをオンにすると、ファンからの気流に乗ってミストが拡散し、加湿及び加湿範囲の拡大に寄与する一方、水の蒸発により熱を奪い、吹き出された風をより涼しくできる。
【００２３】
使用時、水タンクの上部カバー１０８を開放し、適量の水を入れ、ボタン制御基板１０６により、ファンアセンブリ４、噴霧アセンブリ１、又は両方を選択的に開放し、底部カバー脚５０１を回転させて外に出し、底部面積を増加させ、本考案の動作をより安定させ、清掃時、水タンクの上部カバー１０８を直接開放することで水タンク内部を清掃でき、便利で快適であり、排気窓４０２を外してファン内部を掃除することができる。
【００２４】
本考案は、使いやすく、清掃しやすく、操作しやすい。
【００２５】
以上、本考案の好ましい実施例に過ぎず、本考案の特許を制限するものではなく、本考案の特許の精神と原則内で行われたあらゆる修正、等価置換及び改良などは、いずれも本考案の特許の保護範囲に含まれるべきである。
【符号の説明】
【００２６】
１噴霧アセンブリ、１０１水タンク、１０２霧化フィン、１０３水位検知シート、１０４制御回路基板、１０５水タンクのフロントカバー、１０６ボタン制御基板、１０７パッキン、１０８水タンクの上部カバー、１０９ハンドル、１１０霧化フィン固定板、１１１電源回路基板、２リアカバー、３フロントカバー、４ファンアセンブリ、４０１ファンリアカバー、４０２排気窓、４０３モータ、４０４羽根、４０５コットンシートカバー、４０６コットンシート、５底部カバー、５０１底部カバー脚、５０２滑り止めパッド。
【図１】
0003232491.tif 000003
【図２】
0003232491.tif 000004
【図３】
0003232491.tif 000005
【図４】
0003232491.tif 000006
【手続補正書】
【提出日】令和3年4月14日(2021.4.14)
【手続補正１】
【補正対象書類名】実用新案登録請求の範囲
【補正対象項目名】請求項１
【補正方法】変更
【補正の内容】
【請求項１】
噴霧ファンであって、噴霧アセンブリ（１）と、前記噴霧アセンブリ（１）の底部に設けられたファンアセンブリ（４）と、を含み、前記噴霧アセンブリ（１）は、水タンク（１０１）を含み、前記水タンク（１０１）の側面にはキャビティが設けられ、前記キャビティは前記水タンク（１０１）と連通し、前記キャビティ内には霧化フィン（１０２）が設けられ、前記霧化フィン（１０２）は霧化フィン固定板（１１０）によって固定され、前記水タンク（１０１）の前記霧化フィン（１０２）に近い側には水タンクのフロントカバー（１０５）が設けられ、前記水タンクのフロントカバー（１０５）にはボタン制御基板（１０６）及びミスト放出口が設けられ、前記水タンク（１０１）の頂部には水タンクの上部カバー（１０８）が設けられ、前記水タンク（１０１）の底部には階段状凹溝１が設けられ、前記水タンク（１０１）の内部には制御回路基板（１０４）が設けられ、
前記ファンアセンブリ（４）は、ファンリアカバー（４０１）と、排気窓（４０２）と、羽根（４０４）とを含み、前記ファンリアカバー（４０１）と前記排気窓（４０２）とは取り外し可能に接続され、前記羽根（４０４）はモータ（４０３）によって制御され、前記ファンアセンブリ（４）の外部には、リアカバー（２）とフロントカバー（３）とが設けられ、前記リアカバー（２）と前記フロントカバー（３）の頂部には、前記階段状凹溝１と嵌合して使用される突起１が設けられ、前記リアカバー（２）と前記フロントカバー（３）の底部には、階段状凹溝２が設けられ、前記リアカバー（２）と前記フロントカバー（３）の底部には底部カバー（５）が取り付けられ、前記底部カバー（５）の頂部には、前記階段状凹溝２と嵌合して使用される突起２が設けられること、
を特徴とする噴霧ファン。